(57)【要約】      （修正有）【課題】照明負荷回路を駆動する変換装置の故障や劣化を防ぐ。【解決手段】照明負荷が並列に接続された負荷回路に対し、制御内容に対応するＰＷＭ信号を出力する出力部であるＭＯＳＦＥＴ１０２と、前記負荷回路におけるＰＷＭ信号に基づく電圧値を取得する取得部１５２と、前記取得部が取得した電圧値に基づいて、前記負荷回路の接続状況を判定する判定部１５３と、判定部による判定結果を所定の監視装置４０に通知する通知部１５４と、を有する。【選択図】図３
2018055795.tif 000002
【特許請求の範囲】
【請求項１】
負荷が並列に接続された回路に対し、制御内容に対応するＰＷＭ信号を出力する出力部と；
前記回路におけるＰＷＭ信号に基づく電圧値を取得する取得部と；
前記取得部が取得した電圧値に基づいて、前記負荷の接続状況を判定する判定部と；
前記判定部による判定結果を所定の監視装置に通知する通知部と；
を有することを特徴とする照明制御システム。
【請求項２】
前記判定部は、前記取得部が取得した電圧値と、予め設定された値との比較結果に基づいて、回路に接続された負荷の数を判定する
ことを特徴とする請求項１に記載の照明制御システム。
【請求項３】
前記判定部は、前記取得部が取得した電圧値と、予め設定された値との比較結果に基づいて、回路に接続された負荷の数が所定の閾値よりも多いか否かを判定する
ことを特徴とする請求項１または２に記載の照明制御システム。
【請求項４】
前記判定部は、前記取得部が取得した電圧値に基づいて、前記負荷の短絡が生じているか否かを判定する
ことを特徴とする請求項１〜３のうちいずれか１つに記載の照明制御システム。
【請求項５】
前記取得部は、サンプルホールド回路を用いて、前記回路におけるＰＷＭ信号に基づく電圧値を取得する
ことを特徴とする請求項１〜４のうちいずれか１つに記載の照明制御システム。
【請求項６】
負荷が並列に接続された回路に対し、制御内容に対応するＰＷＭ信号を出力する出力部と；
前記回路におけるＰＷＭ信号に基づく電圧値を取得する取得部と；
前記取得部が取得した電圧値に基づいて、前記負荷の接続状況を判定する判定部と；
前記判定部による判定結果を所定の監視装置に通知する通知部と；
を有することを特徴とする制御装置。
【発明の詳細な説明】
【技術分野】
【０００１】
本発明の実施形態は、照明制御システムおよび制御装置に関する。
【背景技術】
【０００２】
近年、複数の照明装置を制御する照明制御システムが知られている。例えば、並列に接続された照明機器をＰＷＭ（Pulse  Width  Modulation）信号で制御する照明制御システムが知られている。このようなＰＷＭ信号を用いる照明制御システムにおいては、ＰＷＭ信号を出力する制御装置に電源容量の上限が存在する。このため、所定の台数以上の照明機器が接続された場合や、短絡が生じた場合は、制御装置の故障や劣化を生じさせる恐れがある。
【先行技術文献】
【特許文献】
【０００３】
【特許文献１】特開２０１２−１９５１４７号公報
【発明の概要】
【発明が解決しようとする課題】
【０００４】
本発明が解決しようとする課題は、制御装置の故障や劣化を防ぐ制御装置を提供することである。
【課題を解決するための手段】
【０００５】
実施形態の一例に係る照明制御システムは、負荷が並列に接続された回路に対し、制御内容に対応するＰＷＭ信号を出力する出力部と、前記回路におけるＰＷＭ信号に基づく電圧値を取得する取得部と、前記取得部が取得した電圧値に基づいて、前記負荷の接続状況を判定する判定部と、前記判定部による判定結果を所定の監視装置に通知する通知部と、を有することを特徴とする。
【発明の効果】
【０００６】
実施形態の一例に係る照明制御システムおよび制御装置によれば、制御装置の故障や劣化を防ぐことができる。
【図面の簡単な説明】
【０００７】
【図１】図１は、実施形態に係る照明制御システムの一例を示す図である。
【図２】図２は、実施形態に係る変換装置と照明機器との接続態様の一例を示す図である。
【図３】図３は、実施形態に係る変換制御部が有する機能構成の一例について説明する図である。
【図４】図４は、実施形態に係る電圧テーブルに登録される情報の一例を示す図である。
【図５】図５は、実施形態に係る照明制御の変化の一例を示す図である。
【図６】図６は、実施形態に係る変換装置が実行する判定装置の流れの一例を示すフローチャートである。
【発明を実施するための形態】
【０００８】
以下、図面を参照して、実施形態に係る照明制御システムおよび制御装置を説明する。実施形態において同一の機能を有する構成には同一の符号を付し、重複する説明は省略する。なお、以下の実施形態で説明する照明制御システムおよび制御装置は、一例を示すに過ぎず、実施形態を限定するものではない。例えば、以下の実施形態では、照明制御システムおよび制御装置は、照明機器以外にも、任意の舞台装置の制御にも適用することができる。なお、以下の各実施形態は、矛盾しない範囲内で適宜組みあわせてもよい。
【０００９】
以下の実施形態に係る照明制御システム１は、出力部（例えば、ＭＯＳＦＥＴ（Metal-Oxide-Semiconductor  Field-Effect  Transistor）１０２）、取得部１５２、判定部１５３、および通知部１５４を有する。出力部は、負荷が並列に接続された回路に対し、制御内容に対応するＰＷＭ信号を出力する。また、取得部１５２は、回路におけるＰＷＭ信号に基づく電圧値を取得する。また、判定部１５３は、取得部１５２が取得した電圧値に基づいて、負荷の接続状況を判定する。また、通知部１５４は、判定部１５３による判定結果を所定の監視装置４０に通知する。
【００１０】
また、以下の実施形態に係る照明制御システム１は、取得部１５２が取得した電圧値と、予め設定された値（例えば、電圧テーブル１４１に登録された値）との比較結果に基づいて、回路に接続された負荷の数を判定する。
【００１１】
また、以下の実施形態に係る照明制御システム１は、取得部１５２が取得した電圧値と、予め設定された値との比較結果に基づいて、回路に接続された負荷の数が所定の閾値よりも多いか否かを判定する。
【００１２】
また、以下の実施形態に係る照明制御システム１は、取得部１５２が取得した電圧値に基づいて、負荷の短絡が生じているか否かを判定する。
【００１３】
また、以下の実施形態に係る照明制御システム１は、サンプルホールド回路を用いて、回路におけるＰＷＭ信号に基づく電圧値を取得する。
【００１４】
また、以下の実施形態に係る制御装置（例えば、変換装置１００）は、出力部、取得部１５２、判定部１５３、および通知部１５４を有する。出力部は、負荷が並列に接続された回路に対し、制御内容に対応するＰＷＭ信号を出力する。また、取得部１５２は、回路におけるＰＷＭ信号に基づく電圧値を取得する。また、判定部１５３は、取得部１５２が取得した電圧値に基づいて、負荷の接続状況を判定する。また、通知部１５４は、判定部１５３による判定結果を所定の監視装置４０に通知する。
【００１５】
［実施形態］
（照明制御システムの概要）
以下、制御装置の一例として、照明制御システム１の一例について説明する。図１は、実施形態に係る照明制御システムの一例を示す図である。図１に示す例では、照明制御システム１は、複数の照明機器１０（１０−１〜１０−６）、分電盤２０、照明制御装置３０、監視装置４０および複数の変換装置１００（１００−１〜１００−２）、を有する。なお、照明制御システム１に接続される照明機器１０および変換装置１００の種別や数などは任意に設定できる。  
【００１６】
照明制御システム１において、照明機器１０は、パルス幅変調（PWM:  Pulse  Width  Modulation）信号が示す制御内容に基づいて、照明を行う照明装置であり、例えば、ＬＥＤ（Light  Emitting  Diodes）等の半導体発光素子が出力する光の照度や色彩等をパルス幅変調信号（以下、「ＰＷＭ信号」と気合する。）が示す制御内容に従って変化させることで、スタジオや舞台等の照明演出を行う。なお、具体例を挙げるならば、照明機器１０は、舞台の床や天井に設置されたダウンライトであるが、舞台における背景色の演出を行うホリゾントライト、スポットライト、若しくはフラッドライト等、任意の照明装置が適用可能である。また、照明機器１０は、照明機器１０に電力を伝達する回路を介して分電盤２０に接続される。これにより、照明機器１０は、分電盤２０から電力が供給される。
【００１７】
分電盤２０は、照明機器１０に電力を伝達する複数の回路を有し、回路に接続された各照明機器１０−１〜１０−６に電力を供給する。例えば、分電盤２０は、入力電圧、入力電流、漏電など電源に関する機能や、出力電流、漏電など負荷に関する機能、温度など盤内の状態に関する機能、主幹ブレーカや回路ブレーカの開閉に関する機能、各種情報の表示や操作を受け付ける機能などを有する。
【００１８】
照明制御装置３０は、変換装置１００と双方向通信が可能な装置であり、オペレータから照明機器１０に対する操作指令を受付けると、ＤＭＸ規格に従った通信プロトコルや、ＤＭＸを拡張したＲＤＭ（Remote  Device  Management）規格に沿った通信方式により、照明機器１０の制御を行う。例えば、照明制御装置３０は、ＤＭＸ規格やＲＤＭ規格に沿った制御信号を出力することで、照明機器１０の制御を行う。なお、照明制御装置３０は、プリセットフェーダやフェーダ、ボタン等を有する調光卓や制御卓等により実現される。
【００１９】
監視装置４０は、イーサーネット（登録商標）やＬＡＮ（Local  Area  Network）等のネットワークを介して、変換装置１００と双方向通信が可能な装置であり、例えば、ＰＣ（Personal  Computer）等の情報処理装置により実現される。例えば、監視装置４０は、任意の情報が表示可能な画面を有し、変換装置１００から受信した各種の情報を表示することができる。なお、監視装置４０は、例えば、照明制御装置３０と同一の装置により実現されてもよい。
【００２０】
変換装置１００は、照明制御装置３０から受信した制御信号をＰＷＭ信号に変換し、変換後のＰＷＭ信号を照明機器１０へと出力することで、照明機器１０の制御を行う変換装置である。例えば、変換装置１００には、ＤＭＸ規格において操作対象となる装置を識別するための制御アドレス、すなわち、ＤＭＸアドレスが付与されている。一方、照明制御装置３０は、変換装置１００−１のＤＭＸアドレスと変換装置１００−１に接続された照明機器１０−１〜１０−３とを対応付けて記憶するとともに、変換装置１００−２のＤＭＸアドレスと変換装置１００−２に接続された照明機器１０−４〜１０−６とを対応付けて記憶している。
【００２１】
このような場合、照明制御装置３０は、オペレータから照明機器１０−１〜１０−３を点灯させる操作を受付けた場合は、照明機器１０−１〜１０−３と対応付けられた変換装置１００−１のＤＭＸアドレスを特定する。そして、照明制御装置３０は、特定したＤＭＸアドレスと共に、照明機器１０を点灯させる旨を示す制御信号を変換装置１００−１、１００−２に出力する。
【００２２】
一方、変換装置１００−１は、受信した制御信号が示すＤＭＸアドレスが自装置のＤＭＸアドレスであるか否かを判定する。そして、変換装置１００−１は、制御信号が示すＤＭＸアドレスが自装置のＤＭＸアドレスである場合は、制御信号が示す制御内容、すなわち、照明機器１０を点灯させる制御内容を特定し、特定した制御内容に応じたＰＷＭ信号を生成する。そして、変換装置１００−１は、生成したＰＷＭ信号を各照明機器１０−１〜１０−３に出力することで、照明機器１０−１〜１０−３を点灯させる。
【００２３】
一方、変換装置１００−２は、変換装置１００−１と同様に、受信した制御信号が示すＤＭＸアドレスが自装置のＤＭＸアドレスであるか否かを判定する。そして、変換装置１００−２は、制御信号が示すＤＭＸアドレスが自装置のＤＭＸアドレスではない場合は、照明機器１０−４〜１０−６の制御を行わずに、処理を終了する。
【００２４】
なお、上述した例では、照明制御装置３０と変換装置１００とがＤＭＸ規格やＲＤＭ規格により直接接続されている例について記載したが、実施形態は、これに限定されるものではない。例えば、照明制御装置３０は、ＬＡＮ等のネットワークを介して、所定のＤＭＸノードと接続されてもよい。また、変換装置１００は、ＤＭＸ規格やＲＤＭ規格によりＤＭＸノードと接続されてもよい。
【００２５】
このような場合、照明制御装置３０は、任意のプロトコルを用いて、ＤＭＸノードに対し、制御内容を通知する。一方、ＤＭＸノードは、照明制御装置３０から制御内容を受信すると、受信した制御内容を示す制御信号を生成し、生成した制御信号を変換装置１００へと出力することで、照明機器１０の制御を行う。このように、照明制御システム１は、ＤＭＸ規格やＲＤＭ規格等を用いて、照明機器１０の制御を行うのであれば、照明制御装置３０と照明機器１０との間の通信態様については、任意の態様が採用可能である。
【００２６】
（接続形態の概要）
次に、図２を用いて、変換装置１００と照明機器１０との接続態様について説明する。図２は、実施形態に係る変換装置と照明機器との接続態様の一例を示す図である。なお、図２には、複数の照明機器１０−１〜１０−ｎと変換装置１００との接続形態の一例について記載した。
【００２７】
図２に示す例では、変換装置１００は、検出部１０１、ＭＯＳＦＥＴ１０２、変換制御部１１０、抵抗Ｒ２、及びグランドＧ１を有する。また、複数の照明機器１０−１〜１０−ｎは、直流電源Ｐ１と接続された抵抗Ｒ１に対して並列に接続されている。また、ＭＯＳＦＥＴ１０２のソースは、抵抗Ｒ１に接続されており、ＭＯＳＦＥＴ１０２のドレインは、抵抗Ｒ２に接続されており、ＭＯＳＦＥＴ１０２のゲートは、変換制御部１１０に接続されている。また、抵抗Ｒ２は、グランドＧ１に接続されている。
【００２８】
このような構成において、変換装置１００は、ＭＯＳＦＥＴ１０２をスイッチング素子として用いることで、並列に接続された照明機器１０に対するＰＷＭ信号を生成する。例えば、変換装置１００は、ＭＯＳＦＥＴ１０２のゲートに印加する電圧を変化させることで、各照明機器１０−１〜１０−ｎに印加される電圧値を変化させ、かかる変化をＰＷＭ信号とする。すなわち、変換装置１００は、並列に接続された各照明機器１０−１〜１０−ｎに対し、同じＰＷＭ信号を出力することとなる。
【００２９】
このような場合、各照明機器１０−１〜１０−ｎは、ＰＷＭ信号に従って、光源に供給する電流量を制御する。この結果、各照明機器１０−１〜１０−ｎは、ＰＷＭ信号が示す内容の照明制御を実現できる。
【００３０】
（判定処理について）
ここで、並列に接続可能な照明機器１０の台数は、変換装置１００の電源容量に応じた上限が存在する。このような上限を超えた台数の照明機器１０が接続された場合は、照明機器１０が並列接続された回路上を流れる電流のピーク値が増大し、ＭＯＳＦＥＴ１０２等に負荷がかかり、変換装置１００の劣化や故障を招く恐れがある。照明機器１０の接続が誤っている場合や、回路上に短絡が生じた場合にも、ＭＯＳＦＥＴ１０２等に負荷がかかり、変換装置１００の劣化や故障を招く恐れがある。
【００３１】
一方で、照明機器１０が設置される場所に応じて、１つの変換装置１００に対して接続される照明機器１０の台数が変化する。このため、１つの変換装置１００に対し、上限を超えた数の照明機器１０が誤って設定される恐れがある。
【００３２】
また、照明機器１０がＰＷＭ信号を用いて光源をＰＷＭ制御する際に、回路上に多くの照明機器１０が接続されている場合は、ＰＷＭ信号の波形が崩れる結果、適切な照明制御を実現することができなくなる恐れがある。
【００３３】
そこで、照明制御システム１が有する変換装置１００は、以下の判定処理を実行する。まず、変換装置１００は、照明機器１０等の負荷が並列に接続された回路に対し、制御内容に対応するＰＷＭ信号を出力する。また、変換装置１００は、回路におけるＰＷＭ信号に基づく電圧値を取得する。また、変換装置１００は、取得した電圧値に基づいて、負荷の接続状況を判定する。
【００３４】
例えば、変換装置１００は、ＭＯＳＦＥＴ１０２とグランドＧ１との間に抵抗Ｒ２を設けることで、照明機器１０が並列に接続された回路上を流れる電流を電圧に変換し、検出部１０１にて、ＭＯＳＦＥＴ１０２と抵抗Ｒ２との間の電圧値を検出する。なお、ＰＷＭ信号のうち、オンデューティーとなる期間が短いことを考慮し、検出部１０１は、所定の期間の間、電圧値を保持するサンプルホールド回路を用いて、電圧値を検出してもよい。より具体的な例を挙げると、検出部１０１は、電圧値の最大値を保持するピークホールド回路を用いて、電圧値を検出してもよい。
【００３５】
一方、変換制御部１１０は、検出部１０１が取得した電圧値と、予め設定された値との比較結果に基づいて、回路に接続された負荷の数を判定する。より具体的な例を挙げると、変換制御部１１０は、取得した電圧値と、予め設定された値との比較結果に基づいて、回路に接続された負荷の数が所定の閾値よりも多いか否かを判定する。なお、変換制御部１１０は、電圧値に基づいて、負荷の短絡が生じているか否かを判定してもよい。そして、変換制御部１１０は、判定結果を監視装置４０に通知する。
【００３６】
（変換制御部の機能構成について）
以下、図３を用いて、上述した機能を発揮する変換制御部１１０が有する機能構成の一例について説明する。なお、以下の説明では、変換制御部１１０は、例えば、マイコン等の情報処理回路によって実現されるものとする。
【００３７】
図３は、実施形態に係る変換制御部が有する機能構成の一例について説明する図である。図３に示す例では、変換制御部１１０は、ＲＤＭ通信部１２０、イーサーネット通信部１３０、記憶部１４０、制御部１５０を有する。
【００３８】
ＲＤＭ通信部１２０は、照明制御装置３０との間でＲＤＭ規格に沿った双方向通信を行う通信部であり、例えば、ＮＩＣ（Network  Interface  Card）等により実現される。イーサーネット通信部１３０は、監視装置４０との間で、イーサーネット等のネットワークを介して、双方向通信を行う通信部であり、例えば、ＮＩＣ等により実現される。
【００３９】
記憶部１４０は、変換制御部１１０が有する揮発性または不揮発性のメモリであり、ＨＤＤ（Hard  Disk  Drive）、ＳＳＤ（Solid  State  Drive）、フラッシュメモリ、ＲＡＭ（Random  Access  Memory）等の記憶装置により実現される。また、図３に示す例では、記憶部１４０には、電圧テーブル１４１が登録されている。
【００４０】
電圧テーブル１４１は、回路に並列接続された照明機器１０の台数と、検出部１０１が検出する電圧値との関係を示す情報があらかじめ登録されている。例えば、図４は、実施形態に係る電圧テーブルに登録される情報の一例を示す図である。図４に示す例では、電圧テーブル１４１には、「電圧値」と「推定台数」といった項目を有する情報が登録されている。
【００４１】
ここで、「電圧値」とは、電圧値の範囲を示す情報である。また、「推定台数」とは、対応付けられた範囲の電圧値が検出された際に、回路上に接続されていると推定される照明機器１０の台数を示す情報である。なお、図４に示す例では、１０台ごとに、電圧値の範囲を示す情報が電圧テーブル１４１に登録されている例について記載したが、実施形態は、これに限定されるものではない。例えば、電圧テーブル１４１には、１台ごとに電圧値の範囲が登録されていてもよい。また、電圧テーブル１４１には、変換装置１００が安全に動作することができる電流値に対応した電圧値の閾値が登録されていてもよい。
【００４２】
例えば、図４に示す例では、電圧テーブル１４１には、電圧値「ｔ＜電圧値＃１」と推定台数「１０台」とが対応付けられており、電圧値「電圧値＃１≦ｔ＜電圧値＃２」と推定台数「２０台」とが対応付けられており、電圧値「電圧値＃２≦ｔ＜電圧値＃３」と推定台数「３０台」とが対応付けられている。このような情報は、検出部１０１が検出した電圧値ｔの値が電圧値＃１よりも小さい場合、回路上に１０台以下の照明機器１０が並列接続されており、電圧値ｔの値が電圧値＃１以上電圧値＃２未満である場合、回路上に２０台以下の照明機器１０が並列接続されており、電圧値ｔの値が電圧値＃２以上電圧値＃３未満である場合、回路上に３０台以下の照明機器１０が並列接続されている旨を示す。
【００４３】
図３に戻り、説明を続ける。制御部１５０は、各種の情報処理を実行する演算装置であり、例えば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部１５０は、各種の処理手順を規定したプログラムや制御データを格納するための内部メモリを有し、これらによって種々の処理を実行する。制御部１５０は、各種のプログラムが動作することにより各種の処理部として機能する。  
【００４４】
図３に示す例では、制御部１５０は、照明制御部１５１、取得部１５２、判定部１５３、および通知部１５４を有する。照明制御部１５１は、照明制御装置３０から受信する制御信号に従って、照明機器１０の制御を行う。例えば、照明制御装置３０は、制御信号を受付けると、制御信号が示すＤＭＸアドレスが自装置に設定されたＤＭＸアドレスであるか否かを判定する。そして、照明制御部１５１は、自装置に設定されたＤＭＸアドレスであると判定した場合は、ＭＯＳＦＥＴ１０２のゲートに印加する電圧を変化させることで、制御信号が示す内容の制御を実現するためのＰＷＭ信号を照明機器１０へと送信する。すなわち、照明制御部１５１は、負荷が並列に接続された回路に対し、制御内容に対応するＰＷＭ信号をＭＯＳＦＥＴ１０２から出力させる。
【００４５】
取得部１５２は、負荷が並列に接続された回路におけるＰＷＭ信号に基づく電圧値を取得する。例えば、取得部１５２は、検出部１０１がサンプルホールド回路を用いて検出したＰＷＭ信号に基づく電圧値を取得する。
【００４６】
判定部１５３は、取得した電圧値に基づいて、負荷の接続状況を判定する。例えば、判定部１５３は、取得した電圧値と、電圧テーブル１４１に登録された値、すなわち、予め設定された値との比較結果に基づいて、回路に接続された負荷の数を判定する。また、判定部１５３は、電圧値と、予め設定された値との比較結果に基づいて、回路に接続された負荷の数が所定の閾値よりも多いか否かを判定する。
【００４７】
例えば、判定部１５３は、取得部１５２が取得した電圧値ｔの値と、電圧テーブル１４１に登録された電圧値の値とを比較し、電圧値ｔの値を含む電圧値の範囲と対応付けられた台数を特定する。そして、判定部１５３は、特定した台数があらかじめ設定された所定の閾値を超えているか否かを判定し、超えている場合には、警告を出力するように通知部１５４に指示する。また、判定部１５３は、特定した台数を通知部１５４に出力する。
【００４８】
なお、判定部１５３は、例えば、所定の計算方式を用いて、電圧値ｔから回路に並列接続された照明機器１０の台数を算出してもよい。例えば、判定部１５３は、直流電源Ｐ１が出力する電圧値、抵抗Ｒ１および抵抗Ｒ２の抵抗値、各照明機器１０の抵抗値等に基づいて、検出部１０１が検出した電圧値ｔの値から照明機器１０の台数を算出してもよい。
【００４９】
なお、判定部１５３は、上述した照明機器１０の台数を判定する処理を、所定のタイミングで実行して良い。例えば、判定部１５３は、監視装置４０から台数を判定する処理を実行する旨の指示を受付けた際に実行してもよく、所定の時間間隔で実行してもよい。
【００５０】
また、判定部１５３は、電圧値ｔに基づいて、負荷の短絡が生じているか否かを判定してもよい。例えば、判定部１５３は、電圧値ｔの値が所定の閾値を超えているか否かを判定し、電圧値ｔの値が所定の閾値以下となった場合は、負荷の短絡が生じていると判定し、通知部１５４に警告を出力するように指示してもよい。なお、判定部１５３は、常時あるいは所定の時間間隔で、負荷の短絡が生じているか否かを判定してもよい。
【００５１】
通知部１５４は、回路に並列接続された照明機器１０の台数を監視装置４０に通知する。例えば、通知部１５４は、判定部１５３から通知された照明機器１０の台数を監視装置４０に通知する。また、通知部１５４は、判定部１５３からの指示に従い、並列接続された照明機器１０の台数が所定の閾値を超えている旨の警告や、短絡が生じた旨の警告を監視装置４０へと送信する。
【００５２】
（ＰＷＭ制御の結果について）
次に、図５を用いて、回路に並列接続された照明機器１０の台数により、適切な照明制御が行えなくなる現象の一例について説明する。図５は、実施形態に係る照明制御の変化の一例を示す図である。例えば、図５に示す例では、ＤＭＸ規格に沿った制御信号が示す照明の強さをＤＭＸの指示レベルとして横軸にとり、実際に照明機器１０が出力する光の明るさ（例えば、明度）を縦軸にとり、ＤＭＸの指示レベルと明るさとの関係を照明機器１０の台数ごとにプロットした。
【００５３】
例えば、回路に並列接続された照明機器１０の台数が所定の閾値以下である場合は、ＰＷＭ信号のデューティー比が規定値を満たすため、図５中の（Ａ）に示すように、ＤＭＸの指示レベルに応じて明るさが徐々に上昇することとなる。一方、回路に並列接続された照明機器１０の台数が所定の閾値を超える場合、ＰＷＭ信号のデューティー比が規定値を満たさなくなる。この結果、図５中の（Ｂ）に示すように、ＤＭＸの指示レベルと、照明機器１０が実際に出力する明るさとに齟齬が生じる恐れがある。そこで、実施形態に係る変換装置１００は、上述した判定処理を実行することで、規定値を満たすようにＰＷＭ信号のデューティー比を保つ結果、照明機器１０を適切に制御する。
【００５４】
（実施形態に係る変換装置１００の処理手順）
次に、図６を用いて、実施形態に係る変換装置１００が実行する判定処理の流れの一例について説明する。図６は、実施形態に係る変換装置が実行する判定装置の流れの一例を示すフローチャートである。
【００５５】
例えば、変換装置１００は、ＰＷＭ信号の電流値を検出し（ステップＳ１０１）、抵抗Ｒ２を用いて電流値を電圧値に変換する（ステップＳ１０２）。また、変換装置１００は、予め定められた接続台数に対応する電圧値と取得した電圧値とを比較する（ステップＳ１０３）。そして、変換装置１００は、比較結果に基づいて、回路に並列接続された照明機器１０の数が所定の台数を超えているか否かを判定し（ステップＳ１０４）、超えていると判定した場合は（ステップＳ１０４：Ｙｅｓ）、警告を監視装置４０に出力する（ステップＳ１０５）。また、変換装置１００は、比較結果に応じて判定した照明機器１０の台数を監視装置４０に出力し（ステップＳ１０６）、処理を終了する。一方、変換装置１００は、並列接続された照明機器１０の台数が所定の台数を超えていない場合は（ステップＳ１０４：Ｎｏ）、ステップＳ１０５の実行をスキップし、ステップＳ１０６を実行する。
【００５６】
［実施形態の変形例］
（台数の判定について）
上述した実施形態では、変換装置１００は、回路上に並列接続された照明機器１０の数を１０台単位で判定した。しかしながら、実施形態は、これに限定されるものではない。例えば、変換装置１００は、回路上に接続された照明機器１０の数を、１台単位で判定してもよい。また、変換装置１００は、電圧値ｔの値が所定の閾値を超えているか否かに基づいて、並列接続された照明機器１０の数が所定の閾値を超えているか否かを判定し、超えていると判定した際に、監視装置４０へ警告を通知してもよい。
【００５７】
（ＰＷＭ信号について）
なお、変換装置１００は、上述した処理を実行する際に、任意のＰＷＭ信号を出力してよい。例えば、変換装置１００は、監視装置４０から判定処理を実行する旨の指示を受付けた場合は、照明機器１０を５パーセントの出力で点灯させるＰＷＭ信号を出力する。そして、変換装置１００は、出力したＰＷＭ信号に基づく電圧値ｔに基づいて、照明機器１０の台数を判定して良い。すなわち、変換装置１００は、任意の制御を行うＰＷＭ信号に基づく電圧値ｔを取得し、取得した電圧値ｔに基づいて、照明機器１０の台数を判定して良い。また、変換装置１００は、電圧値ｔを取得するＰＷＭ信号の内容に応じた内容の電圧テーブル１４１を記憶すればよい。
【００５８】
（負荷について）
なお、上述した例では、照明制御システム１は、並列接続された負荷の一例として、並列接続された照明機器１０の台数を判定した。しかしながら、実施形態は、これに限定されるものではない。すなわち、変換装置１００は、照明機器１０以外にも、任意の負荷の台数を判定して良い。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１  照明制御システム
１０、１０−１〜１０−６、１０−ｎ  照明機器
２０  分電盤
３０  照明制御装置
４０  監視装置
１００、１００−１、１００−２  変換装置
１０１  検出部
１０２  ＭＯＳＦＥＴ
１１０  変換制御部
１２０  ＲＤＭ通信部
１３０  イーサーネット通信部
１４０  記憶部
１４１  電圧テーブル
１５０  制御部
１５１  照明制御部
１５２  取得部
１５３  判定部
１５４  通知部
【図１】
2018055795.tif 000003
【図２】
2018055795.tif 000004
【図３】
2018055795.tif 000005
【図４】
2018055795.tif 000006
【図５】
2018055795.tif 000007
【図６】
2018055795.tif 000008